【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
テープ付与ヘッド（５８）を用いて複合テープ（８６）を布設して複合部品（５７）を形成する方法であって、前記テープ付与ヘッド（５８）はテープ（８６）をレイアップするための複数のテープ制御モジュールを備え、前記方法は、複数のテープ制御モジュール（８４ａ、８４ｂ）のうちの少なくとも１つのテープ制御モジュール（８４）の横向き位置を、モジュール（８４ａ、８４ｂ）によりテープ（８６）が布設されている際に自動的かつ独立して調整するステップを含み、前記横向き位置は前記付与ヘッド（５８）の進行方向（１１０）と実質的に直交する、方法。
【請求項２】
前記調整ステップが、隣り合うテープ（８６）の中心線（１２７）間の距離が変更されるようにテープ制御モジュール（８４）の横向き位置を調整することを含む請求項１に記載の方法。
【請求項３】
前記少なくとも１つのテープ制御モジュール（８４）の位置の調整が、プログラムされた命令（１３４）のセットにしたがって自動的に行われる請求項１に記載の方法。
【請求項４】
隣り合うテープ制御モジュール（８４）の互い違いの配置を調整することをさらに含む請求項１に記載の方法。
【請求項５】
テープ制御モジュール（８４）の第１および第２の互い違いの群（８４ａ、８４ｂ）の位置を、テープ制御モジュール（８４）の進行方向（１１０）を実質的に横切る方向（１２６）において互いに対して調整することをさらに含む請求項１に記載の方法。
【請求項６】
複数のテープ制御モジュール（８４ａ、８４ｂ）により布設されたテープ（８６）を集合させてバンド幅（８７）とすることをさらに含む請求項１に記載の方法。
【請求項７】
いくつかの前に出た（８６ａ）テープ（８６）が、いくつかの後続の（８６ｂ）テープ（８６）から進行方向（１１０）において空間的に前に出て（ｄ）レイアップされるようにテープ（８６）をレイアップすることをさらに含む請求項１に記載の方法。
【請求項８】
複合部品（５７）を形成するためのテープレイアップ機械（５０）であって、
テープ付与ヘッド（５８）と、
制御システム（５６）と、
テープ（８６）をレイアップするための複数のテープ制御モジュール（８４）と、
を備え、さらに、
モジュール（８４）のうちの少なくともいくつかの横向き位置を自動的かつ独立して調整するための、モジュール（８４）と結合された手段（１２０ａ、１２０ｂ）であって、前記横向きの位置は前記付与ヘッド（５８）の進行方向（１１０）と実質的に直交する、調整手段（１２０ａ、１２０ｂ）と、
テープ（８６）がモジュール（８４）によりレイアップされている際に、前記少なくともいくつかのモジュール（８４）の横向き位置を調整するために制御システム（５６）により用いられるプログラム（１３４）と、
を備えた機械。
【請求項９】
前記テープ制御モジュール（８４）が、モジュール（８４）の進行方向（１１０）において互いに対して互い違いになった第１および第２のモジュール群（８４ａ、８４ｂ）を含む請求項８に記載の機械（５０）。
【請求項１０】
第１および第２の互い違いのモジュール群（８４ａ、８４ｂ）におけるテープ制御モジュール（８４）が、モジュール（８４）の進行方向（１１０）を実質的に横切る方向（１２６）において交互に配置されている請求項８に記載の機械（５０）。
【請求項１１】
前記調整手段（１２０ａ、１２０ｂ）が、
モータ（１３０ａ、１３０ｂ）と、
前記モータ（１３０ａ、１３０ｂ）を前記少なくともいくつかのモジュール（８４）と結合する駆動装置（１３２ａ、１３２ｂ）と、
前記モータ（１３０ａ、１３０ｂ）の動作を制御するためのプログラムされた制御システム（５６）と
を含む請求項８に記載の機械（５０）。
【請求項１２】
前記テープ制御モジュール（８４）が、モジュール（８４）の進行方向（１１０）において互いに対して互い違いとなっている第１および第２の群（８４ａ、８４ｂ）に配置されている請求項８に記載の機械（５０）。
【請求項１３】
第１および第２のモジュール群（８４ａ、８４ｂ）におけるテープ制御モジュール（８４）が、モジュール（８４）の進行方向（１１０）を実質的に横切る方向（１２６）において交互に配置されている請求項１２に記載の機械（５０）。
【請求項１４】
前記少なくともいくつかのモジュール（８４）の横向き位置を調整するための制御システム（５６）により用いられるプログラム（１３４）をさらに含む請求項１１に記載の機械（５０）。
【請求項１５】
モジュール（８４）の進行方向（１１０）を実質的に横切る方向（１２６）における横向き調整のために自らの上に取り付けられたモジュール（８４）を有する搬送台（１２８ａ、１２８ｂ）をさらに含む請求項８に記載の機械（５０）。
【手続補正２】
【補正対象書類名】明細書
【補正対象項目名】００２８
【補正方法】変更
【補正の内容】
【００２８】
本開示の実施形態は、例えば航空宇宙、海運および自動車用途を含む輸送産業において特にさまざまな適用可能性のある用途があるかもしれない。当業者は、本発明の前出の実施形態が、本発明に対する数多くの代替案および変更の基礎を提供していることを理解するであろう。これらその他の変更もまた、本発明の範囲内である。よって、本発明は、本発明において正確に示され、かつ、説明されたものに限定されない。
また、本発明は以下に記載する態様を含む。
（態様１）
複合テープ（８６）を布設して複合部品（５７）を形成する方法であって、複数のテープ制御モジュール（８４ａ、８４ｂ）のうちの少なくとも１つのテープ制御モジュール（８４）の横向き位置を、モジュール（８４ａ、８４ｂ）によりテープ（８６）が布設されている際に調整することを含む方法。
（態様２）
前記調整工程が、隣り合うテープ（８６）の中心線（１２７）間の距離が変更されるようにテープ制御モジュール（８４）の横向き位置を調整することを含み、前記横向き位置が、複数のテープ制御モジュール（８４ａ、８４ｂ）の進行方向（１１０）を実質的に横切る（１２６）態様１に記載の方法。
（態様３）
前記少なくとも１つのテープ制御モジュール（８４）の位置の調整が、プログラムされた命令（１３４）のセットにしたがって自動的に行われる態様１に記載の方法。
（態様４）
隣り合うテープ制御モジュール（８４）の互い違いの配置を調整することをさらに含む態様１に記載の方法。
（態様５）
テープ制御モジュール（８４）の第１および第２の互い違いの群（８４ａ、８４ｂ）の位置を、テープ制御モジュール（８４）の進行方向（１１０）を実質的に横切る方向（１２６）において互いに対して調整することをさらに含む態様１に記載の方法。
（態様６）
複数のテープ制御モジュール（８４ａ、８４ｂ）により布設されたテープ（８６）を集合させてバンド幅（８７）とすることをさらに含む態様１に記載の方法。
（態様７）
いくつかの前に出た（８６ａ）テープ（８６）が、いくつかの後続の（８６ｂ）テープ（８６）から進行方向（１１０）において空間的に前に出て（ｄ）レイアップされるようにテープ（８６）をレイアップすることをさらに含む態様１に記載の方法。
（態様８）
複合部品（５７）を形成するためのテープレイアップ機械（５０）であって、
テープ（８６）をレイアップするための複数のテープ制御モジュール（８４）と、
モジュール（８４）のうちの少なくともいくつかの横向き位置を調整するための、モジュール（８４）と結合された手段（１２０ａ、１２０ｂ）と、
制御システム（５６）と、
テープ（８６）がモジュール（８４）によりレイアップされている際に、前記少なくともいくつかのモジュール（８４）の横向き位置を調整するために制御システム（５６）により用いられるプログラム（１３４）と、
を含む機械。
（態様９）
前記テープ制御モジュール（８４）が、モジュール（８４）の進行方向（１１０）において互いに対して互い違いになった第１および第２のモジュール群（８４ａ、８４ｂ）を含む態様８に記載の機械（５０）。
（態様１０）
第１および第２の互い違いのモジュール群（８４ａ、８４ｂ）におけるテープ制御モジュール（８４）が、モジュール（８４）の進行方向（１１０）を実質的に横切る方向（１２６）において交互に配置されている態様８に記載の機械（５０）。
（態様１１）
前記調整手段（１２０ａ、１２０ｂ）が、
モータ（１３０ａ、１３０ｂ）と、
前記モータ（１３０ａ、１３０ｂ）を前記少なくともいくつかのモジュール（８４）と結合する駆動装置（１３２ａ、１３２ｂ）と、
前記モータ（１３０ａ、１３０ｂ）の動作を制御するためのプログラムされた制御システム（５６）と
を含む態様８に記載の機械（５０）。
（態様１２）
前記テープ制御モジュール（８４）が、モジュール（８４）の進行方向（１１０）において互いに対して互い違いとなっている第１および第２の群（８４ａ、８４ｂ）に配置されている態様８に記載の機械（５０）。
（態様１３）
第１および第２のモジュール群（８４ａ、８４ｂ）におけるテープ制御モジュール（８４）が、モジュール（８４）の進行方向（１１０）を実質的に横切る方向（１２６）において交互に配置されている態様１２に記載の機械（５０）。
（態様１４）
前記少なくともいくつかのモジュール（８４）の横向き位置を調整するための制御システム（５６）により用いられるプログラム（１３４）をさらに含む態様１１に記載の機械（５０）。
（態様１５）
モジュール（８４）の進行方向（１１０）を実質的に横切る方向（１２６）における横向き調整のために自らの上に取り付けられたモジュール（８４）を有する搬送台（１２８ａ、１２８ｂ）をさらに含む態様８に記載の機械（５０）。